(57)【特許請求の範囲】
【請求項１】
靴の清掃を行う靴清掃装置であって、
履いたままで前記靴を入れることのできる開口部が形成されたトンネル状の筐体と、
該筐体内に圧縮エアを供給するエア供給手段と、を備え、
前記筐体内には、
前記開口部から入れられた前記靴が踵側方向である後方及び爪先側方向である前方との間で摺動可能に載置されるすのこ状の靴載置台と、
該靴載置台の左右両側に配設されて前記靴に対し後方から斜め前方に向かって先端を上下揺動させながら前記エア供給手段から供給された圧縮エアを噴射する一対の左右ノズルと、
前記靴載置台の下側に配設されて前記靴に対し後方から斜め前方に向かって先端を左右揺動させながら前記エア供給手段から供給された圧縮エアを噴射する下ノズルと、が設けられており、
前記一対の左右ノズルから噴射された圧縮エアと、前記下ノズルから噴射された圧縮エアと、は合流して前方へ整流されごみを前方へ送ることができる靴清掃装置。
【請求項２】
請求項１において、
前記筐体内には、
前記靴載置台を囲んで前下方に向かって傾斜して延びるダクトが設けられており、
該ダクトの前端部側には、ごみを収納可能なごみ収納部材が接続されている靴清掃装置。
【請求項３】
請求項１又は請求項２において、
前記左右ノズルは、その圧縮エア噴射方向が前後方向に対して左右方向に３０〜６０°の角度をなしており、
前記下ノズルは、その圧縮エア噴射方向が前後方向に対して上方に３０〜６０°の角度をなしている靴清掃装置。
【発明の詳細な説明】
【技術分野】
【０００１】
本発明は、靴清掃装置に関する。
【背景技術】
【０００２】
従来より、靴に付着した泥や草等のごみをコンプレッサ等のエア供給手段からの圧縮エアを利用して吹き飛ばす靴清掃装置が知られている。特許文献１には、履いたまま靴を載置する靴載置台と、この靴載置台を上下左右から囲むように先端を対向させて配置された複数個のノズルと、を備えた靴清掃装置が開示されている。コンプレッサからノズルに圧縮エアが供給されると、この圧縮エアがノズルの先端から噴射し靴載置台に載置された靴に付着したごみを吹き飛ばす。
【先行技術文献】
【特許文献】
【０００３】
【特許文献１】特開平６−１５４１５０号公報
【発明の概要】
【発明が解決しようとする課題】
【０００４】
上記特許文献１に開示された靴清掃装置においては、上記したように、ノズル同士が先端を対向させて配置されている。このため、各ノズルの先端から噴射された圧縮エア同士がぶつかって乱流が生じ、この乱流によって靴から一旦吹き飛ばされたごみが舞い戻り靴に再付着するおそれがあった。よって、清掃後の靴にごみが残り易いという問題があり、より清掃能力の高い靴清掃装置の開発が望まれていた。
【０００５】
このような問題に鑑み、本発明の課題は、エア供給手段からの圧縮エアを利用して靴に付着したごみを吹き飛ばす靴清掃装置において、清掃後の靴にごみが残り難い清掃能力の高い靴清掃装置を提供することにある。
【課題を解決するための手段】
【０００６】
本発明の第１発明は、靴の清掃を行う靴清掃装置であって、履いたままで前記靴を入れることのできる開口部が形成された箱状又はトンネル状の筐体と、該筐体内に圧縮エアを供給するエア供給手段と、を備え、前記筐体内には、前記開口部から入れられた前記靴が踵側方向である後方及び爪先側方向である前方との間で摺動可能に載置されるすのこ状の靴載置台と、該靴載置台の左右両側に配設されて前記靴に対し後方から斜め前方に向かって先端を上下揺動させながら前記エア供給手段から供給された圧縮エアを噴射する一対の左右ノズルと、前記靴載置台の下側に配設されて前記靴に対し後方から斜め前方に向かって先端を左右揺動させながら前記エア供給手段から供給された圧縮エアを噴射する下ノズルと、が設けられていることを特徴とする。
【０００７】
上記第１発明によれば、使用者が履いたまま靴を筐体の開口部に入れて、筐体内の靴載置台に載置する。靴載置台に載置された靴の左右両側では、左右ノズルがその先端を上下揺動させながら靴に対し圧縮エアを噴射し、下側では、下ノズルがその先端を左右揺動させながら靴に対し圧縮エアを噴射する。このため、靴載置台上で靴を前後摺動させることで、靴全体に対して圧縮エアを当ててごみを吹き飛ばすことができる。さらに、上記左右ノズル及び上記下ノズルは、靴に対し後方から斜め前方に向かって圧縮エアを噴射する。このため、各ノズルから噴射された圧縮エア同士が合流して前方へ整流され、この整流された圧縮エアにより靴から吹き飛ばされたごみを前方へ送ることができる。これにより、靴から吹き飛ばされたごみが靴から離されて再付着し難くなるため、清掃後の靴にごみが残り難くなり高い清掃能力を発揮することができる。
【０００８】
本発明の第２発明は、上記第１発明において、前記筐体内には、前記靴載置台を囲んで前下方に向かって傾斜して延びるダクトが設けられており、該ダクトの前端部側には、ごみを収納可能なごみ収納部材が接続されていることを特徴とする。
【０００９】
上記第２発明によれば、靴載置台は前下方に向かって傾斜して延びるダクトにより囲まれており、このダクトの前端部側には、ごみ収納部材が接続されている。すなわち、圧縮エアにより靴から吹き飛ばされたごみの大部分が、ダクトを通ってごみ収納部材に集積される構成となっている。このため、ごみ収納部材を回収することでごみの大部分を靴清掃装置から簡便に除去できる。さらに、上記したようにダクトは前下方に向かって傾斜して延びているため、圧縮エアにより靴から吹き飛ばされたごみが、ごみ収納部材まで到達せずにダクトの内筒面に一旦付着した場合であっても、重力によりダクトの内筒面を伝ってごみ収納部材まで移動し易い構成となっている。このため、ごみ収納部材に集積されるごみの量の増加を図ることができる。
【００１０】
本発明の第３発明は、第１発明又は第２発明において、前記左右ノズルは、その圧縮エア噴射方向が前後方向に対して左右方向に３０〜６０°の角度をなしており、前記下ノズルは、その圧縮エア噴射方向が前後方向に対して上方に３０〜６０°の角度をなしていることを特徴とする。
【００１１】
各ノズルの圧縮エア噴射方向が前後方向に対してなす角度が小さ過ぎる場合、靴から吹き飛ばしたごみを前方へ送る能力は高くなるが、各ノズルから噴射される圧縮エアが靴全体に対して当たり難くなり靴のつま先等にごみが残り易くなるという問題がある。一方、各ノズルの圧縮エア噴射方向が前後方向に対してなす角度が大き過ぎる場合、各ノズルから噴射される圧縮エアが靴全体に対して当たり易くなるが、靴から吹き飛ばしたごみを前方へ送る能力が低くなるという問題がある。上記第３発明によれば、左右ノズルは、その圧縮エア噴射方向が前後方向に対して左右方向に３０〜６０°の角度をなしており、下ノズルは、その圧縮エア噴射方向が前後方向に対して上方に３０〜６０°の角度をなしている。これにより、靴から吹き飛ばしたごみを前方へ送る能力が適度なものになるとともに、各ノズルから噴射される圧縮エアの靴全体に対する当たり易さが適度なものになる。
【図面の簡単な説明】
【００１２】
【図１】本発明の一実施形態に係るゴルフシューズ清掃装置の斜視図である。
【図２】上記実施形態に係るゴルフシューズ清掃装置の右側面図である。
【図３】上記実施形態に係るゴルフシューズ清掃装置の上面図である。
【図４】上記実施形態に係るゴルフシューズ清掃装置の正面図である。
【図５】図３におけるＶ−Ｖ線矢視断面図である。
【図６】図２におけるＶＩ−ＶＩ線矢視断面図である。
【図７】上記実施形態に係るゴルフシューズ清掃装置を使用している状況を示す図である。
【発明を実施するための形態】
【００１３】
図１〜図７は、本発明の一実施形態を示す。本実施形態に係る靴清掃装置は、ゴルフシューズに付着した泥や草等のごみをコンプレッサの圧縮エアを利用して吹き飛ばすためのゴルフシューズ清掃装置である。各図中、矢印によりゴルフシューズ清掃装置を使用する使用者のゴルフシューズの各方向を示している。以下の説明において、方向に関する記述は、この方向を基準として行うものとする。
【００１４】
図１、図６及び図７に示すように、ゴルフシューズ清掃装置１は、装置本体１０と、コンプレッサ７１と、を備えている。さらに、ゴルフシューズ清掃装置１は、ごみ収納部８０と、把持部９０と、を備えている。ゴルフシューズ清掃装置１を使用する使用者Ｕは、把持部９０を把持して立った状態で装置本体１０の筐体１１に対して片足ずつゴルフシューズＳを入れて、ゴルフシューズＳの清掃を行う。なお、図を見易くするために、図６以外ではコンプレッサ７１を省略して図示しており、図２〜図５では把持部９０を省略して図示している。
【００１５】
図１、図５及び図６に示すように、装置本体１０は、主として、装置本体１０の外形をなす筐体１１と、靴載置台３０と、靴載置台３０の左右両側及び下側にそれぞれ配設された左ノズル７５Ｌ、右ノズル７５Ｒ、下ノズル７５Ｄと、を備えている。
【００１６】
図１〜図４に示すように、筐体１１は、主として、左壁をなす左壁部材１１Ｌと、右壁をなす右壁部材１１Ｒと、後壁をなす後壁部材１１Ｂと、上壁をなす上壁部材１１Ｕと、が互いに結合された構成となっている。左壁部材１１Ｌの後端部上半分と右壁部材１１Ｒの後端部上半分との間は、後開口部１２Ｂとなっている。そして、上壁部材１１Ｕの後端部の左右方向中央には上面視略Ｕ字形の切り欠きが形成されており、当該切り欠きが上開口部１２Ｕとなっている。後開口部１２Ｂの上端部と上開口部１２Ｕの後端部とは連続し、筐体１１の開口部Ｈを構成している。なお、左壁部材１１Ｌの下面部の前後両側には、フロア又は地面に立つ足１１Ｌａが１個ずつ設けられており、右壁部材１１Ｒの下面部の前後両側には、フロア又は地面に立つ足１１Ｒａが１個ずつ設けられている。
【００１７】
図５に示すように、左壁部材１１Ｌと右壁部材１１Ｒとの間には、下勾配部材２０Ｄと、上勾配部材２０Ｕと、が配設されている。下勾配部材２０Ｄは、その左右両側部が左壁部材１１Ｌの下部と右壁部材１１Ｒの下部とにそれぞれ連結されて保持されている。下勾配部材２０Ｄの上面後部は、前後方向に対して上に４５°の角度で傾斜して延びる第１勾配面２０Ｄａとなっており、下勾配部材２０Ｄの上面前部は、第１勾配面２０Ｄａの前端部と連続し前後方向に対して下に１５°の角度で傾斜して延びる第２勾配面２０Ｄｂとなっている。上勾配部材２０Ｕは、その左右両側部が上記した上開口部１２Ｕより前側位置において左壁部材１１Ｌの上部と右壁部材１１Ｒの上部とにそれぞれ連結されて保持されている。上勾配部材２０Ｕの下面部は、下勾配部材２０Ｄの第２勾配面２０Ｄｂと対向して平行に延びる勾配面２０Ｕｂとなっている。なお、後壁部材１１Ｂは、左壁部材１１Ｌと右壁部材１１Ｒとの間において前方に張り出す張出し部１１Ｂａを備えている。張出し部１１Ｂａの下面部は、下勾配部材２０Ｄの第１勾配面２０Ｄａと対向して平行に延びる勾配面となっている。すなわち、図５及び図６に示すように、筐体部１１内には、左壁部材１１Ｌの右面部と、右壁部材１１Ｒの左面部と、後壁部材１１Ｂの張出し部１１Ｂａの上面部と、下勾配部材２０Ｄの第２勾配面２０Ｄｂと、上勾配部材２０Ｕの勾配面２０Ｕｂと、により、前後方向に延びる角筒状のダクトＤが形成されていることになる。ダクトＤの前部は前下方に向かって傾斜して延びており、角筒状に形成した金属板６０により覆われている。金属板６０の内筒部は、ごみが付着しても当該ごみが剥離し易い状態となっている。
【００１８】
図５及び図６に示すように、靴載置台３０は、金属製の柱径５〜１０ｍｍの丸棒及び角棒を適宜に溶接して組み合わせた前後方向に長尺なすのこ状部材であり、開口率が約６０％の通気性に富んだ構成となっている。靴載置台３０は、その左右両側部が左壁部材１１Ｌの上下方向中央部と右壁部材１１Ｒの上下方向中央部とにそれぞれ連結されて保持されている。靴載置台３０は、上記した下勾配部材２０Ｄの第１勾配面２０Ｄａの後端部に相当する位置から、第２勾配面２０Ｄｂの前端部より若干後側部に相当する位置まで延在している。靴載置台３０は、上記したダクトＤにより上下左右を囲まれた状態で配設されている。
【００１９】
図５及び図６に示すように、左壁部材１１Ｌの右面部には、左収納窪み部４０Ｌが形成されている。左収納窪み部４０Ｌは、前後方向に対して右に４５°の角度で右前方に向かって延びており、左壁部材１１Ｌの右面部の前後方向中央部より若干後側部で開口している。左収納窪み部４０Ｌの開口の下端部は、靴載置台３０と同一の上下方向位置となっている。左収納窪み部４０Ｌには、後に詳述する左ノズル７５Ｌが収納されている。右壁部材１１Ｒの左面部には、右収納窪み部４０Ｒが形成されている。右収納窪み部４０Ｒは、左収納窪み部４０Ｌと左右対称の構造となっている。右収納窪み部４０Ｒには、後に詳述する右ノズル７５Ｒが収納されている。なお、上記した下勾配部材２０Ｄの第１勾配面２０Ｄａと後壁部材１１Ｂの張出し部１１Ｂａとの間の空間には、後に詳述する下ノズル７５Ｄが収納されている。
【００２０】
図１〜図４に示すように、筐体１１の上壁部材１１Ｕの前側部には、左右方向に延びる扁平な角柱状のセンサ保護部材５１が取付けられている。センサ保護部材５１の下面の左右方向中央部には、前後方向に延びる溝部５１Ａが形成されており、この溝部５１Ａ内に光電センサ５５が貼着されている。光電センサ５５は、図示しない投光部と受光部とを備えており、投光部から後側へ光を放ち、光電センサ５５の後側に接近した物体により上記光が反射されこの反射された光を受光部で感知すると、後に詳述する電動バルブ７３を通電状態に切り替える信号を発する構成となっている。そして、上記反射された光を感知できなくなると、上記信号を停止する構成となっている。
【００２１】
図６に示すように、コンプレッサ７１は、圧縮エアを供給する装置である。コンプレッサ７１は、圧縮エアの通路となる三方に分岐したエアチューブ７２を介して、左ノズル７５Ｌ、右ノズル７５Ｒ及び下ノズル７５Ｄに接続されている。エアチューブ７２には、三方に分岐する部分よりコンプレッサ７１側において電動バルブ７３が取付けられている。電動バルブ７３は、非通電状態において、コンプレッサ７１と外気とを連通させる構成となっており、通電状態において、コンプレッサ７１と各ノズル７５Ｌ、７５Ｒ、７５Ｄとを連通させる構成となっている。コンプレッサ７１が、特許請求の範囲の「エア供給手段」に相当する。なお、図６では、図を見易くするために、エアチューブ７２及び電動バルブ７３等の配設構造を模式的に図示している。実際には、電動バルブ７３は、筐体１１の左壁部材１１Ｌの左面部に取付けられており、エアチューブ７２は、左壁部材１１Ｌや右壁部材１１Ｒや下勾配部材２０Ｄ等に形成されたエアチューブ７２を通すことのできるトンネル状の細孔を通って電動バルブ７３まで延びている。
【００２２】
図５及び図６に示すように、左ノズル７５Ｌは、その先端部７５Ｌａが、エアチューブ７２を介して供給されたコンプレッサ７１の圧縮エアを噴射可能となっており、基端部が、取付け座であるベース部７５Ｌｂとなっている。左ノズル７５Ｌは、上記したように、左収納窪み部４０Ｌ内において、ベース部７５Ｌｂが固着された状態で先端部７５Ｌａを前後方向に対して右に４５°の角度で右前方に向けている。右ノズル７５Ｒは、左ノズル７５Ｌと同一構造のノズルであり、上記したように、右収納窪み部４０Ｒ内において、ベース部７５Ｒｂが固着された状態で先端部７５Ｒａを前後方向に対して左に４５°の角度で左前方に向けている。下ノズル７５Ｄは、左ノズル７５Ｌ及び右ノズル７５Ｒと同一構造のノズルであり、上記したように、下勾配部材２０Ｄの第１勾配面２０Ｄａと後壁部材１１Ｂの張出し部１１Ｂａの下面部との間の空間内において、ベース部７５Ｄｂが固着された状態で先端部７５Ｄａを前後方向に対して上に４５°の角度で前上方に向けている。なお、左ノズル７５Ｌ、右ノズル７５Ｒ、下ノズル７５Ｄは、特許第４９２６２９０号公報に開示されるようないわゆる首振りノズルであり、先端部から圧縮エアを噴射することで、圧縮エアを噴射した反力により先端部をベース部中心に所定方向に揺動させる構成となっている。左ノズル７５Ｌ、右ノズル７５Ｒは、それぞれの先端部７５Ｌａ、７５Ｒａを上下揺動させる状態に配設され、下ノズル７５Ｄはその先端部７５Ｄａを左右揺動させる状態に配設されている。左ノズル７５Ｌと右ノズル７５Ｒとが、特許請求の範囲の「左右ノズル」に相当する。
【００２３】
図１〜図３及び図５〜図７に示すように、ごみ収納部８０は、主として、左壁をなす左壁部材８１Ｌと、右壁をなす右壁部材８１Ｒと、上壁をなす上壁部材８１Ｕと、が互いに結合された構成となっている。すなわち、ごみ収納部８０は、前側、下側、後側が開放された前面視略逆Ｕ字形に形成されている。ごみ収納部８０は、さらに、ごみ収納袋８５を備える。ごみ収納袋８５は、通気性のある可撓性に富んだ樹脂製ネットを袋状に形成したものであり、左壁部材８１Ｌ、右壁部材８１Ｒ、上壁部材８１Ｕに囲まれた空間内に配設される。なお、左壁部材８１Ｌの右面部の前後両側には、フロア又は地面に立つ足８１Ｌａが１個ずつ設けられており、右壁部材８１Ｒの左面部の前後両側には、フロア又は地面に立つ足８１Ｒａが１個ずつ設けられている。さらに、上壁部材８１Ｕの後端部の左右両側には、後に詳述する把持部９０の上延設パイプ９１を通すための切り欠き８１Ｕａが１個ずつ形成されている。ごみ収納部８０は、ごみ収納部８０の後端部が筐体１１の前端部に当接し、かつ、ごみ収納袋８５が金属板６０の前端部６０ａに係止された状態で設置される。ごみ収納部８０は、左壁部材８１Ｌ、右壁部材８１Ｒ、上壁部材８１Ｕにより、ごみ収納袋８５の内部に集積されたごみが外部から見えないよう目隠しするとともに、左ノズル７５Ｌ、右ノズル７５Ｒ、下ノズル７５Ｄから噴射される圧縮エアの音を低減させる騒音抑止部材として働く。ごみ収納袋８５が、特許請求の範囲の「ごみ収納部材」に相当する。
【００２４】
図１及び図７に示すように、把持部９０は、樹脂製のパイプ状部材を組み合わせて製造された部品である。より詳細には、把持部９０は、下端部が筐体１１の前面部に固着され上方へ延びる左右一対の上延設パイプ９１と、上延設パイプ９１の上端部から後方へ延びる後延設パイプ９２と、左右に延びて後延設パイプ９２の後端部同士を連結する左右延設パイプ９３と、を備えている。把持部９０の左右延設パイプ９３は、ゴルフシューズ清掃装置１を使用する使用者Ｕが立ったまま把持し易い高さ位置に配設されている。
【００２５】
図５、図６及び図７に基づいて、ゴルフシューズ清掃装置１の使用方法について説明する。まず、電動バルブ７３を非通電状態とし、コンプレッサ７１を動作させる。次に、使用者Ｕが履いたままゴルフシューズＳを、開口部Ｈから筐体１１内に入れて、靴載置台３０に載置する。これにより、光電センサ５５が使用者Ｕの脚の接近を検知し、電動バルブ７３を通電状態に切り替える信号を発する。電動バルブ７３が通電状態に切り替わると、コンプレッサ７１の圧縮エアがエアチューブ７２を介して各ノズル７５Ｌ、７５Ｒ、７５Ｄに供給される。圧縮エアの供給を受けた各ノズル７５Ｌ、７５Ｒ、７５Ｄは、左ノズル７５Ｌ及び右ノズル７５Ｒがそれぞれの先端部７５Ｌａ及び７５Ｒａから圧縮エアを噴射しながら上下揺動し、下ノズル７５Ｄがその先端部７５Ｄａから圧縮エアを噴射しながら左右揺動する。各ノズル７５Ｌ、７５Ｒ、７５Ｄから噴射された圧縮エアは、合流して前方へ整流され、金属板６０の内筒部を通って、ごみ収納袋８５まで到達する。ごみ収納袋８５まで到達した圧縮エアは、ごみ収納袋８５を通過してごみ収納部８０の後側から外気へと放出される。この状態で使用者ＵがゴルフシューズＳを靴載置台３０上で前後摺動させると、各ノズル７５Ｌ、７５Ｒ、７５Ｄから噴射された圧縮エアがゴルフシューズＳの全体に吹き当たり、ゴルフシューズＳに付着している泥や草等のごみが吹き飛ばされる。ゴルフシューズＳから吹き飛ばされたごみは、前方へ整流された圧縮エアによりごみ収納袋８５まで送られ、ごみ収納袋８５内に集積される。ゴルフシューズＳの清掃が完了したら、使用者ＵはゴルフシューズＳを筐体１１から引き抜く。すると、光電センサ５５が信号を停止して、電動バルブ７３が非通電状態に切り替わる。
【００２６】
以上のように構成される本実施形態は、以下のような作用効果を奏する。使用者Ｕが履いたままゴルフシューズＳを筐体１１の開口部Ｈに入れて、筐体１１内の靴載置３０台に載置する。靴載置台３０に載置されたゴルフシューズＳの左右両側では、左ノズル７５Ｌ及び右ノズル７５Ｒがその先端部７５Ｌ、７５Ｒを上下揺動させながらゴルフシューズＳに対し圧縮エアを噴射し、下側では、下ノズル７５Ｄがその先端部７５Ｄａを左右揺動させながらゴルフシューズＳに対し圧縮エアを噴射する。このため、靴載置台３０上でゴルフシューズＳを前後摺動させることで、ゴルフシューズＳ全体に対して圧縮エアを当ててごみを吹き飛ばすことができる。さらに、各ノズル７５Ｌ、７５Ｒ、７５Ｄは、ゴルフシューズＳに対し後方から斜め前方に向かって圧縮エアを噴射する。このため、各ノズル７５Ｌ、７５Ｒ、７５Ｄから噴射された圧縮エア同士が合流して前方へ整流され、この整流された圧縮エアによりゴルフシューズＳから吹き飛ばされたごみを前方へ送ることができる。これにより、ゴルフシューズＳから吹き飛ばされたごみがゴルフシューズＳから離されて再付着し難くなるため、清掃後のゴルフシューズＳにごみが残り難くなり高い清掃能力を発揮することができる。
【００２７】
さらに、靴載置台３０は前下方に向かって傾斜して延びるダクトＤにより囲まれており、このダクトＤの前端部側には、金属板６０を介してごみ収納袋８５が接続されている。すなわち、圧縮エアによりゴルフシューズＳから吹き飛ばされたごみの大部分が、ダクトＤを通ってごみ収納袋８５に集積される構成となっている。このため、ごみ収納袋８５を回収することでごみの大部分を靴清掃装置１から簡便に除去できる。さらに、上記したようにダクトＤは前下方に向かって傾斜して延びているため、圧縮エアによりゴルフシューズＳから吹き飛ばされたごみが、ごみ収納袋８５まで到達せずにダクトＤの内筒面に一旦付着した場合であっても、重力によりダクトＤの内筒面を伝ってごみ収納袋８５まで移動し易い構成となっている。このため、ごみ収納袋８５に集積されるごみの量の増加を図ることができる。
【００２８】
さらに、左ノズル７５Ｌは、その圧縮エア噴射方向が前後方向に対して右に４５°の角度をなしており、右ノズル７５Ｒは、その圧縮エア噴射方向が前後方向に対して左に４５°の角度をなしており、下ノズル７５Ｄは、その圧縮エア噴射方向が前後方向に対して上に４５°の角度をなしている。これにより、ゴルフシューズＳから吹き飛ばしたごみを前方へ送る能力が最適なものになるとともに、各ノズル７５Ｌ、７５Ｒ、７５Ｄから噴射される圧縮エアのゴルフシューズＳ全体に対する当たり易さが最適なものになる。
【００２９】
以上、特定の実施形態について説明したが、本発明は、それらの外観、構成に限定されず、本発明の要旨を変更しない範囲で種々の変更、追加、削除が可能である。例えば、次のようなものが挙げられる。
【００３０】
１．上記実施形態においては、左ノズル７５Ｌ、右ノズル７５Ｒ、下ノズル７５Ｄを１個ずつ配設する構成とした。しかし、これに限定されない。すなわち、コンプレッサ７１の圧縮エアを供給する能力さえ確保できるならば、各ノズルは複数個配設されていてもよい。具体的には、例えば、左ノズルとしてその先端部を右前方に向けたノズルを上下に複数個並べて配置してもよいし、右ノズルとしてその先端部を左前方に向けたノズルを上下に複数個並べて配置してもよいし、下ノズルとしてその先端部を前上方に向けたノズルを左右に複数個並べて配置してもよい。
【００３１】
２．上記実施形態においては、左ノズル７５Ｌ、右ノズル７５Ｒ、下ノズル７５Ｄの揺動が、各ノズル７５Ｌ、７５Ｒ、７５Ｄから噴射される圧縮エアの反力によってなされる構成とした。しかし、これに限定されない。すなわち、例えば、筐体１１内に、各ノズルの先端部を押し下げたり、押し上げたりすることのできる電子制御のアクチュエータを設け、当該アクチュエータにより各ノズルを揺動させる構成とすることもできる。
【００３２】
３．上記実施形態においては、左ノズル７５Ｌが前後方向に対して右方向に４５°の角度をなして配設され、右ノズル７５Ｒが前後方向に対して左方向に４５°の角度をなして配設され、下ノズル７５Ｄが前後方向に対して上方に４５°の角度をなして配設される構成とした。しかし、各ノズル７５Ｌ、７５Ｒ、７５Ｄの圧縮エア噴射方向は前後方向に対して４５°の角度に限定されず、他の角度であってもよい。このとき、上記角度が３０〜６０°の範囲では、ゴルフシューズＳから吹き飛ばしたごみを前方へ送る能力が適度なものになるとともに、各ノズル７５Ｌ、７５Ｒ、７５Ｄから噴射される圧縮エアのゴルフシューズＳ全体に対する当たり易さが適度なものになる。
【００３３】
４．上記実施形態においては、特に言及していないが、上開口部１２Ｕの内周面が樹脂製の接触保護材６４により覆われており、使用者Ｕの脚が上開口部１２Ｕの内周面に直接接触することを抑制している。また、後壁部材１１Ｂの張出し部１１Ｂａの上面部が金属製の化粧板６５により覆われており、筐体１１の外観の見栄え向上を図っている。しかし、これに限定されず、上記した接触保護部材６４や化粧板６５は設けられていない構成であってもよい。
【００３４】
５．上記実施形態においては、筐体１１の開口部Ｈが、後開口部１１Ｂと上開口部１１Ｕとが連続して形成される構成とした。さらに、筐体１１が、左壁部材１１Ｌと、右壁部材１１Ｒと、後壁部材１１Ｂと、上壁部材１１Ｕと、から箱状に形成される構成とした。しかし、これに限定されず、開口部及び筐体は他の構造であってもよい。すなわち、開口部の変形例としては、使用者Ｕが靴載置台３０上でゴルフシューズＳを前後摺動させることができれば、例えば、開口部が、後開口部１１Ｂのみから構成されていてもよいし、上開口部１１Ｕのみから構成されていてもよい。そして、筐体の変形例としては、例えば、筐体が、左壁をなす左壁部材と、右壁をなす右壁部材と、上壁をなす上壁部材と、のみからトンネル状に形成されている簡潔な構成であってもよい。
【００３５】
６．上記実施形態においては、本発明を、ゴルフシューズＳを清掃するためのゴルフシューズ清掃装置１に適用した。しかし、これに限定されず、本発明は、例えばサッカーシューズ等のゴルフシューズＳ以外の靴を清掃するための靴清掃装置に適用することもできる。
【符号の説明】
【００３６】
１        ゴルフシューズ清掃装置（靴清掃装置）
１１      筐体
３０      靴載置台
７１      コンプレッサ（エア供給手段）
７５Ｌ    左ノズル（左右ノズル）
７５Ｒ    右ノズル（左右ノズル）
７５Ｄ    下ノズル
８５      ごみ収納袋（ごみ収納部材）
Ｄ        ダクト
Ｈ        開口部
Ｓ        ゴルフシューズ（靴）
【図１】
0006739090.tif 000002
【図２】
0006739090.tif 000003
【図３】
0006739090.tif 000004
【図４】
0006739090.tif 000005
【図５】
0006739090.tif 000006
【図６】
0006739090.tif 000007
【図７】
0006739090.tif 000008